(57)【要約】【課題】バスバーターミナルの接続信頼性を向上する。【解決手段】接続部を有する固定子巻線と、前記接続部との溶接部を有するバスバーターミナルとを備え、前記バスバーターミナルは、前記固定子巻線を挟みかつ互いに対向する第１保持部及び第２保持部と、前記第１保持部と前記第２保持部との対向空間内に少なくとも一部を含む規制部とを有し、前記固定子巻線と前記規制部とが２点以上で接触する。【選択図】図９Ｃ
2020188570.tif 000002
【特許請求の範囲】
【請求項１】
接続部を有する固定子巻線と、
前記接続部との溶接部を有するバスバーターミナルとを備え、
前記バスバーターミナルは、
前記固定子巻線を挟みかつ互いに対向する第１保持部及び第２保持部と、
前記第１保持部と前記第２保持部との対向空間内に少なくとも一部を含む規制部とを有し、
前記固定子巻線と前記規制部とが２点以上で接触することを特徴とする回転電機。
【請求項２】
請求項１に記載の回転電機であって、
前記規制部は、前記固定子巻線と対向する平面を有し、
前記固定子巻線と、前記規制部の前記固定子巻線と対向する面とが２点以上で接触することを特徴とする回転電機。
【請求項３】
請求項１に記載の回転電機であって、
前記バスバーターミナルは、複数の規制部を有し、
前記固定子巻線と前記複数の規制部の各々とが接触することによって、前記規制部と前記固定子巻線とが２点以上で接触することを特徴とする回転電機。
【請求項４】
請求項１から３のいずれか一つに記載の回転電機であって、
前記規制部は、前記固定子巻線の離脱を規制する高さに形成されることを特徴とする回転電機。
【請求項５】
請求項４に記載の回転電機であって、
前記固定子巻線は、当該固定子巻線の断面が円形となるように形成され、
前記規制部は、前記固定子巻線の円形断面の半径より大きい高さに形成されることを特徴とする回転電機。
【発明の詳細な説明】
【技術分野】
【０００１】
本発明は、回転電機に関する。
【背景技術】
【０００２】
本技術分野の背景技術とし、特許文献１（特開２０１３−２１１９４５号）がある。この公報には、集中巻の複数のステータコイルを接続するバスバーを備え、バスバーは、当該バスバーの長手方向に対して直角方向に腕部を有し、腕部の先端にコイル保持部が設けられ、腕部に機械的な捻り部分が設けられるように車載用モータを構成する（要約参照）。
【先行技術文献】
【特許文献】
【０００３】
【特許文献１】特開２０１３−２１１９４５号公報
【発明の概要】
【発明が解決しようとする課題】
【０００４】
特許文献１に記載されたバスバーでは、固定子巻線とバスバーターミナルを溶接によって電気的に接続しているが、溶接後に固定子巻線が振動等で振られることにより、溶接部に生じる応力を抑制するため、機電接続部付近で固定子巻線を機械的に保持し、バスバーターミナルに加締め部を設けて、溶接前に固定子巻線を加締め固定する構造を採用している。
【０００５】
しかし、特許文献１に記載された従来の構造では、固定子巻線をバスバーターミナルに加締める時に固定子巻線が離脱することがあり、バスバーターミナルの溶接部と固定子巻線の位置が合わず溶接が不完全になることがあった。
【０００６】
本発明は、バスバーターミナルの接続信頼性の向上を目的とする。さらに、溶接時の作業性の向上を図ることを目的とする。
【課題を解決するための手段】
【０００７】
上記課題を解決するために、本願発明は例えば特許請求の範囲に記載の構成を採用する。本願の開示には上記課題を解決する複数の手段を含んでいるが、その一例を挙げるならば、  回転電機であって、接続部を有する固定子巻線と、前記接続部との溶接部を有するバスバーターミナルとを備え、前記バスバーターミナルは、前記固定子巻線を挟みかつ互いに対向する第１保持部及び第２保持部と、前記第１保持部と前記第２保持部との対向空間内に少なくとも一部を含む規制部とを有し、前記固定子巻線と前記規制部とが２点以上で接触することを特徴とする。
【発明の効果】
【０００８】
本発明の一態様によれば、バスバーターミナルの接続信頼性を向上できる。前述した以外の課題、構成及び効果は、以下の実施例の説明によって明らかにされる。
【図面の簡単な説明】
【０００９】
【図１】本実施形態の永久磁石界磁型ブラシレスモータの固定子部の斜視図である。
【図２】本実施形態の永久磁石界磁型ブラシレスモータの固定子部の断面図である。
【図３】本実施形態の固定子巻線の巻き初め部の引き出し線を端子台のバスバーターミナルと電気的に接続している箇所（図１のＡ部）の拡大斜視図である。
【図４】本実施形態のバスバーターミナルの屈曲部と規制部との間に固定子巻線を通した状態の正面図である。
【図５】本実施形態のバスバーターミナルの図４の矢印Ｂの方向から見た上面図である。
【図６】本実施形態のバスバーターミナルと固定子巻線を加締める前の正面図である。
【図７】本実施形態のバスバーターミナルの図６の矢印Ｃの方向から見た上面図である。
【図８】本実施形態のバスバーターミナルと固定子巻線を加締める途中の図６の矢印Ｃの方向から見た上面図である。
【図９Ａ】従来のバスバーターミナルの正面図である。
【図９Ｂ】従来のバスバーターミナルの正面図である。
【図９Ｃ】本実施形態のバスバーターミナルの正面図である。
【図９Ｄ】本実施形態のバスバーターミナルの正面図である。
【発明を実施するための形態】
【００１０】
以下、本発明に係る実施形態について、図１ないし図９を用いて説明する。
【００１１】
図１は、本実施形態の永久磁石界磁型ブラシレスモータの固定子部１００の斜視図であり、図２は、その断面図であり、図３は、固定子巻線５の巻き初め部の引き出し線を、端子台８のバスバーターミナル７と電気的に接続している箇所（図１のＡ部）の拡大斜視図である。なお、図１、図２、図３において、回転子部は図示されていない。
【００１２】
固定子部１００は、固定子鉄心１及びハウジング２を有しており、固定子鉄心１はハウジング２に固定されている。
【００１３】
固定子鉄心１は、ハウジング２の内周側の全周に渡り、等間隔に配置された複数の突極磁極部３を有する。この突極磁極部３には、絶縁性部材であるインシュレータ４をモールドし、このインシュレータ４に固定子巻線５を巻回している。
【００１４】
端子台８は、固定子巻線５を外部の電源に接続するための複数のバスバー（図示せず）及び、複数の絶縁物（図示せず）を樹脂モールド成型したもので、ハウジング２の内部に挿入される。
【００１５】
複数のバスバーは、固定子巻線５の巻き始め部の引き出し線及び巻き終わり部の引き出し線と電気的に接続するための複数のバスバーターミナル７を形成している。複数のバスバーターミナル７のそれぞれと引き出し線とは、機電接続部７ａにてＴｉｇ溶接等によって電気的に接続される。複数のバスバーターミナル７は、端子台８のコネクタ部６に向かって集約化される。
【００１６】
図４は、バスバーターミナル７の屈曲部７ｂと規制部７ｃとの間に固定子巻線５を通した状態の正面図であり、図５は、図４の矢印Ｂの方向から見たバスバーターミナル７の上面図である。
【００１７】
図４、図５に示すように、バスバーターミナル７は、固定子巻線５は、対向する位置に設けられる第１保持部７ｄと第２保持部７ｅとによる加締めによって保持される。規制部７ｃは、バスバーターミナル７の第１保持部７ｄの近傍に突出して設けられ、バスバーターミナル７の加締め時に、固定子巻線５が図５の右方向９へ離脱しないように規制している。これにより、固定子巻線５は、第１保持部７ｄと第２保持部７ｅにより形成される空間において、規制部７ｃと屈曲部７ｂとの間に配置され、離脱が困難である。バスバーターミナル７の加締め後、Ｔｉｇ溶接等によって、バスバーターミナル７を機電接続部７ａと固定子巻線５とを電気的に接続する。
【００１８】
第２保持部７ｅは、屈曲部７ｂを介して第１保持部７ｄと繋がっている。また、図５に示すように、第２保持部７ｅは、第２保持部７ｅの開放側の端部と規制部７ｃとの距離７ｆが、固定子巻線５の厚さ５ａ（例えば、断面が円形の電線の直径、平角線の短辺の長さ）より小さくなるように形成され、固定子巻線５の離脱を防止している。
【００１９】
図６は、バスバーターミナル７と固定子巻線５を加締める前の正面図であり、図７は、図６の矢印Ｃの方向から見たバスバーターミナル７の上面図であり、図８は、図６の矢印Ｃの方向から見たバスバーターミナル７と固定子巻線５を加締める途中の上面図である。
【００２０】
固定子巻線５は、断面が円形である。なお、固定子巻線５はその側面が円筒形に形成されていればよく、例えば平角線でもよい。図７に示すように、バスバーターミナル７の第２保持部７ｅを、加締め方向１０に向けて押圧すると、固定子巻線５は右方向９へ移動する。そして、図８に示すように、移動する固定子巻線５は、バスバーターミナル７の規制部７ｃと接触して、位置が規制される。故に、規制部７ｃは、前述した固定子巻線５の離脱防止と位置規制の両方の機能を有することになる。
【００２１】
規制部７ｃの位置は、固定子巻線５が接触した状態で、固定子巻線５の中心とバスバーターミナル７の機電接続部７ａの中心とが大凡一致する位置に配置されるとよい。
【００２２】
バスバーターミナル７と固定子巻線５とが加締められ、規制部７ｃが固定子巻線５の位置を規制することによって、固定子巻線５と機電接続部７ａとをより安定してＴｉｇ溶接できる。
【００２３】
次に、従来のバスバーターミナル７と、本発明の実施形態のバスバーターミナル７とを比較して説明する。
【００２４】
図９Ａ及び図９Ｂは、従来のバスバーターミナル７の正面図であり、図９Ｃ及び図９Ｄは、本実施形態のバスバーターミナル７の正面図である。図９Ａ〜図９Ｄにおいて、説明の観点から、第２保持部７ｅを図示していない正面図である。
【００２５】
図９Ａに示すように、従来のバスバーターミナル７では、固定子巻線５は、規制部７ｃによって、機電接続部７ａの中心と一致する理想的な位置で規制される。しかし、図９Ｂに示すように、固定子巻線５の引き出し位置等によっては、規制部７ｃの上側及び下側にいて、固定子巻線５の位置が規制されず、機電接続部７ａの中心からの横方向のズレ１１が発生し、その結果、溶接部が不安定になり、溶接部の電気的接続が不安定となり、機械的な強度が低下する。また、溶接部が安定的に接続されることによって、複数箇所の溶接部の電気抵抗は等しくなり、回転電機の電気的特性の劣化を抑制できる。
【００２６】
そこで、本実施例のバスバーターミナル７では、図９Ｃに示すように、規制部７ｇの固定子巻線５に対向する面に平坦部を形成する。固定子巻線５は、規制部７ｇの平坦部と２点以上で（望ましくは、連続的な線で）接触するので、固定子巻線５の位置をより安定して規制できる。この平坦部は、平面でも曲面でもよく、固定子巻線５と２点以上で接触する形状であればよい。
【００２７】
また、本実施形態のバスバーターミナル７では、図９Ｄに示すように、複数の規制部７ｈを形成してもよい。固定子巻線５は、複数の規制部７ｈの各々と接触する（すなわち、固定子巻線５と規制部７ｈとが２点以上で接触部）するので、固定子巻線５の位置をより安定して規制できる。
【００２８】
本実施形態では、図８に示すように、規制部７ｇ及び７ｈの高さ７ｊは、固定子巻線５の円形断面の半径５ｂより小さくなるように形成するとよい。これにより、第１保持部７ｄと第２保持部７ｅに挟まれた固定子巻線５が変形しても、第２保持部７ｅが規制部と接触せずに、変位可能な余裕を残して第２保持部７ｅが変形するので、固定子巻線５を保持する力を十分に確保できる。
【００２９】
第１保持部７ｄと第２保持部７ｅに挟まれても固定子巻線５の変形量が小さければ、第２保持部７ｅの変形途中で、固定子巻線５が規制部７ｇ、７ｈを乗り越える虞がある。そのような場合には、規制部７ｇ、７ｈの高さ７ｊが固定子巻線５の円形断面の半径５ｂより大きくなるように形成してもよい。
【００３０】
本実施形態では、バスバーターミナル７に規制部７ｃを設けた構造とし、固定子巻線５を屈曲部７ｂと規制部７ｃ間にフォーミングすることで、固定子巻線５の位置規制を可能としており、さらに、平坦部を有する規制部７ｇ、又は複数の規制部７ｈを設けることによって、固定子巻線５の位置ばらつきを抑制し、Ｔｉｇ溶接等の電気的接続作業を安定させる構造としている。
【００３１】
以上に説明したように、本発明の実施例によると、バスバーターミナル７は、固定子巻線５を挟みかつ互いに対向する第１保持部７ｄ及び第２保持部７ｅと、前記第１保持部と前記第２保持部との対向空間内に少なくとも一部を含む規制部７ｇ、７ｈとを有し、固定子巻線５と規制部７ｇ、７ｈとが２点以上で接触するので、固定子巻線５の位置をより安定して規制できる。このため、溶接時の作業性を向上でき、バスバーターミナル７の接続信頼性を向上できる。
【００３２】
また、固定子巻線５と、規制部７ｇの固定子巻線５と対向する面とが２点以上で（望ましくは、連続的な線で）接触するので、規制部７ｇの平面によって固定子巻線５の延伸方向を規定できる。
【００３３】
また、バスバーターミナル７は複数の規制部７ｈを有し、固定子巻線５と複数の規制部７ｈの各々とが接触するので、規制部７ｈを円形の凸部で構成でき、規制部７ｈを容易に形成できる。
【００３４】
また、固定子巻線５は断面が円形となるように形成され、規制部７ｇ、７ｈは固定子巻線５の円形断面の半径５ｂより大きい高さに形成されるので、固定子巻線５の離脱を確実に規制できる。
【００３５】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【符号の説明】
【００３６】
１…固定子鉄心、２…ハウジング、３…突極磁極部、４…インシュレータ、５…固定子巻線、５ａ…固定子巻線５の厚み方向の長さ、５ｂ…円形断面の半径、６…コネクタ部、７…バスバーターミナル、７ａ…機電接続部、７ｂ…屈曲部、７ｃ…規制部、７ｄ…第１保持部、７ｅ…第２保持部、７ｆ…第２保持部７ｅの他端と規制部７ｃとの距離、７ｇ…平坦部を有する規制部、７ｈ…複数の規制部、７ｊ…規制部の高さ、８…端子台、９…右方向、１０…加締め方向、１１…中心ずれ、１００…固定子部
【図１】
2020188570.tif 000003
【図２】
2020188570.tif 000004
【図３】
2020188570.tif 000005
【図４】
2020188570.tif 000006
【図５】
2020188570.tif 000007
【図６】
2020188570.tif 000008
【図７】
2020188570.tif 000009
【図８】
2020188570.tif 000010
【図９Ａ】
2020188570.tif 000011
【図９Ｂ】
2020188570.tif 000012
【図９Ｃ】
2020188570.tif 000013
【図９Ｄ】
2020188570.tif 000014